(57)【特許請求の範囲】
【請求項１】
水量計の出入口の夫々を連結する止水栓及び逆止弁と、該止水栓及び逆止弁の夫々を水量計の出入口を結ぶ軸線上で水量計の全長より長い間隔を以て離間配置する基台とから成り、止水栓の出口側及び逆止弁の入口側の基台装着部の夫々は、側面が円形状に形成されると共に、円形鍔部を突設して成り、基台には、円形鍔部と共に基台装着部の下半円部分を嵌合する座部と、円形鍔部と共に基台装着部の上半円部分を嵌合すると共に、締結部材にて座部に取付けられる固定部材とを設け、止水栓の出口又は逆止弁の入口のいずれか一方には、口内部を水密状に摺動する円形基端部を進退自在に挿入した伸縮管を設け、該伸縮管の円形基端部より先端側には円形基端部の外径より小さい多角形側面部を連続形成し、座部又は固定部材の一方又は両方の前端面には、多角形側面部に合致する多角形口を形成したことを特徴とする水量計取付けユニット。
【請求項２】
止水栓はその本体と基台装着部とを回転自在に連結して成り、一方の連結端部は、開口端内周に円形面を設けると共に、該円形面に連続して奥方へ向かうに従い縮径して成るテーパー面を設けて成り、円形面周囲には拡縮径自在なＣ型弾性リングを出没自在に配した凹溝を刻設すると共に、該凹溝の開口部端縁における前記連結端部の開口端側の稜角部を斜めに切欠して斜面部を設け、他方の連結端部は、外周に一方の連結端部における前記テーパー面及び円形面の夫々に面接触可能なテーパー面及び円形面を設けると共に、該円形面には、一方の連結端部における円形面との面接触状態で該円形面に設けた前記凹溝に位置対応する凹溝を周設し、該凹溝は、Ｃ型弾性リングに外力が作用していない状態で、一方の連結端部における凹溝より突出するリングの内径側部位を内接する深さに設定したことを特徴とする請求項１記載の水量計取付けユニット。
【請求項３】
基台には、基台設置面に接地するフランジを設けると共に、該フランジには、基台設置面上より突設したアンカーボルト挿通穴、及び基台設置面にビス止めするビス挿通穴を設けたことを特徴とする請求項１又は２記載の水量計取付けユニット。
【発明の詳細な説明】
【０００１】
【発明の属する技術分野】
本発明は、集合住宅等の各戸の上水管に設置される水量計を簡便に着脱する様にした水量計取付けユニットに関する。
【０００２】
【従来の技術】
従来、上水管中において、水量計はその一次側（入口）及び二次側（出口）の夫々に止水栓及び逆止弁を連結しており、水量計の交換に際しては、止水栓と逆止弁との連結を解除した後、再び新規な水量計を止水栓と逆止弁との間に介装連結していた。
【０００３】
【発明が解決しようとする課題】
しかしながら、一旦水量計を止水栓と逆止弁との間から取り外すと、止水栓と逆止弁における水量計との連結口の軸芯が相互にずれることが多々あり、一般に集合住宅等では水量計の設置場所が狭いことも相俟って、再度水量計の出入口を止水栓と逆止弁の各連結口に要領よく連結することは難しく、一集合住宅において各戸毎に取付けられる水量計の全てを交換又は新設するには、非常な手間、時間を要するといった課題を有していた。
【０００４】
【課題を解決するための手段】
本発明は、上記課題に鑑み、水量計の出入口の夫々を連結する止水栓及び逆止弁と、該止水栓及び逆止弁の夫々を水量計の出入口を結ぶ軸線上で水量計の全長より長い間隔を以て離間配置する基台とから成るユニットを構成し、止水栓及び逆止弁を基台に固定することにより、止水栓と逆止弁間に介装される水量計の出入口を止水栓の出口及び逆止弁の入口に対応させ、止水栓の出口又は逆止弁の入口のいずれか一方に、口内部を水密状に摺動する円形基端部を進退自在に挿入した伸縮管を設け、伸縮管の伸縮により簡単に水量計を止水栓と逆止弁間に介装連結する様にして、上記課題を解決する。
【０００５】
【発明の実施の形態】
以下本発明の一実施例を図面に基づいて説明する。
図１に本発明に係る水量計取付けユニット１の断面図を示す。
このユニット１は、水量計Ｍの出入口Ｍ１、Ｍ２の夫々を連結する止水栓２及び逆止弁３と、該止水栓２及び逆止弁３の夫々を水量計Ｍの出入口Ｍ１、Ｍ２を結ぶ軸線上で水量計Ｍの全長（出入口Ｍ１、Ｍ２間距離）より長い間隔を以て離間配置する基台４とから構成している。
【０００６】
止水栓２は、その入口５と出口６の流路が略直角に形成したアングル形の副栓付きボール止水栓であり、入口５に連通する直線流路を設けると共に、直線流路内に副栓７及び主栓８と成る球状弁体を入口側より順に連続形成した本体９と、出口６に連通するエルボ状の流路を設けた基台装着部10とを相互に回転自在に連結して成る。
【０００７】
本体９の連結端部11は、開口端内周に円形面12を設けると共に、該円形面12に連続して奥方へ向かうに従い縮径して成るテーパー面13を設け、該テーパー面13の最小径部に連続して小径円形面14を設けている。
円形面12周囲には、拡縮径自在なＣ型弾性リング15を出没自在に配する様に、リング15の断面形状の直径と同一深さの凹溝16を刻設すると共に、該凹溝16の開口部端縁における連結端部11の開口端側の稜角部を斜めに切欠して斜面部17を設けている。
【０００８】
基台装着部10の連結端部18は、外周に本体９の連結端部11における小径円形面14、テーパー面13及び円形面12の夫々に面接触可能な小径円形面19、テーパー面20及び円形面21を設け、小径円形面19にはその周囲に凹設したＯリング溝内にＯリングＰを装着し、円形面21には連結端部11における円形面12との面接触状態で凹溝16に位置対応する凹溝22を周設している。
凹溝22は、Ｃ型弾性リング15に外力が作用していない状態で、本体９の連結端部11における凹溝16より突出するリング15の内径側部位15ａ（リング15の半円状の半断面）を内接する深さに設定している。
【０００９】
そして、基台装着部10の連結端部18を本体９の連結端部11に挿入すると、該連結端部11の凹溝16より突出するリング15の内径側部位15ａは、基台装着部10の連結端部18のテーパー面20に沿って徐々に本体９の連結端部11の凹溝16内へ押圧され、テーパー面20に続く円形面21によってリング15は凹溝16内に没入する様に一旦拡径し、凹溝16、22同士が位置対応した時にリング15は外力が作用していない初期状態に縮径して、リング15の内径側部位15ａが凹溝22に内接する様に収容され、リング15により本体９と基台装着部10とは抜止めされると共に、相互に回転自在と成り、副栓７及び主栓８と成る球状弁体に連繋して本体９外部に突出し成る弁体開閉用の操作杆23、24の突出方向を自由に設定する様に成している。
本体９の凹溝16に設けた斜面部17は、以下の通りの作用を有している。
即ち、本体９と基台装着部10とが上記の様に連結された状態において、両者９、10を分離する方向へ引張した場合、図６(b) の様に斜面部17が形成されていないと、両凹溝16、22の開口部端縁の各稜角部Ｘ（凹溝16の一方の稜角部は斜面部17が形成されているため図示せず）がリング15を上下相反方向へ押圧する力がリング15を本体９の凹溝16内に没入する様に拡径させるため、その時に本体９と基台装着部10が離脱することが想定されるが、凹溝16に斜面部17を設けることにより、図６(b) の如くリング15の外径側部位15ｂが斜面部17を押圧する反力がその傾斜面に対し直交する方向、即ち基台装着部10の凹溝22内側へ働くため、リング15は本体９の凹溝16内へ没入する様に拡径することがなく、一旦連結一体化された止水栓２は、その本体９と基台装着部10とに分離できない。
【００１０】
止水栓２の基台装着部10の出口６側（本体９に対し直角な部分）は、側面25が円形状に形成されると共に、円形鍔部26を突設している。
基台装着部10の出口６には、その口内部27を水密状に摺動する円形基端部28を進退自在に挿入した直管状の伸縮管29を設けている。
伸縮管29において、円形基端部28には、その周囲に凹設したＯリング溝内にＯリングＰを装着しており、円形基端部28より先端側は、円形基端部28の外径より小さい（図示例では、円形基端部28にほぼ内接した）多角形側面部30を所定長さ連続形成しており、伸縮管29先端の開口部端面にはパッキンＳを固着したフランジを設けると共に、伸縮管29先端には水量計Ｍの入口Ｍ１と連結するためのユニオンナット等の継手部材Ｕを設けている。
尚、図示例においては、主栓８の操作杆24にのみハンドル24ａが取付けられているが、副栓７の操作杆23にも図示しないハンドルが適宜に取付けられる。
又、止水栓２は、上記構成のボール止水栓でなくとも、他の構成の止水栓であっても良く、又基台装着部10は、エルボ状のものを示したが、直管のものであっても良く、本体９と基台装着部10の連結端部11、18は相互に逆の構造、即ち本体９の連結端部11を基台装着部10の連結端部18に挿入する構成と成しても良い。
【００１１】
逆止弁３は、その入口31と出口32の流路が略直角に形成したアングル形に形成され、入口31に連通する直線流路内に二次側から一次側への逆流を防止する弁体33を内装して基台装着部34と成し、入口31の開口部端面にはパッキンＳを固着したフランジを設け、入口31には水量計Ｍの出口Ｍ２と連結するためのユニオンナット等の継手部材Ｕを設けている。  そして、逆止弁３の入口31側に設けた基台装着部34は、側面35が円形状に形成されると共に、円形鍔部36を突設している。
尚、逆止弁３は、その出口32側がエルボ状に屈曲したアングル形のものを示したが、入口31と出口32の流路が直線状に成したものであっても良い。
又、本実施例にあっては、止水栓２の出口６に伸縮管29を取付けたものを示しが、逆止弁３の入口31に取付けても良く、この場合、止水栓２の出口６は、円形鍔部26より突出し、その先端に継手部材Ｕを設けている。
【００１２】
基台４は、左右に長い直方体状の中間部37と、該中間部37の左右より連続して上方へ傾斜した斜面部38、38ａと、該傾斜部38、38ａの最上端より直立した突壁39、39ａとから成る。
突壁39、39ａには、止水栓２及び逆止弁３の円形鍔部26、36と共に基台装着部10、34の下半円部分を嵌合する座部40、40ａを凹設し、該座部40、40ａ上には、円形鍔部26、36と共に基台装着部10、34の上半円部分を嵌合すると共に、六角穴付ボルトから成る締結部材ＢＴにて座部40、40ａに取付けられる略半円弧状の固定部材41、41ａを設けている。
止水栓２及び逆止弁３の夫々を座部40、40ａ上に設置した状態では、止水栓２の出口６（伸縮管29）と逆止弁３の入口31は同一軸線上に位置する様に設定されている。
又、座部40、40ａ及び固定部材41、41ａの基台装着部10、34との嵌合面には、薄肉ゴム板Ｒを接着して、締結部材ＢＴを完全に締め付けた時の基台装着部10、34の回り止めと成している。
そして、伸縮管29を設けた止水栓２の連結端部10又は逆止弁３の連結端部34（図示例では連結端部10）を固定する座部40又は固定部材41の一方又は両方の前端面42、43（図示例では固定部材41の前端面43にのみ形成）には、多角形側面部30に合致した多角形口44を形成している。
基台４下部の左右には、コンクリートから成る基台設置面ＧＬに接地するフランジ45、45ａを設けると共に、該フランジ45、45ａには、基台設置面ＧＬ上より突設したアンカーボルト挿通穴46、46ａ、及び基台設置面ＧＬにビス止めするビス挿通穴47、47ａ…を設けている。
【００１３】
次に、水量計取付けユニット１の作用について説明する。
基台設置面ＧＬに対する基台４の固定にあっては、その取付け条件に応じて固定手段が選択される。
例えば、既存の水量計Ｍを交換する場合、既に上水管が配管されて作業空間が狭く、基台設置面ＧＬにアンカーボルトを植設することは、不向きであるため、フランジ45、45ａに設けたビス挿通穴47、47ａ…に対応する基台設置面ＧＬ上にドリルで穴を穿設すると共に、該穴にビス捻じ込み用のプラグ（図示せず）を埋設し、ビス挿通穴47、47ａ…に挿通したビス（図示せず）を前記プラグに螺入することにより、基台４を基台設置面ＧＬに固定する。
基台４の新設の場合は、上水管が配管される前であれば、上記の場合よりも作業空間が比較的広いので、基台設置面ＧＬへアンカーボルトの植設が容易に行えるため、フランジ45、45ａに設けたアンカーボルト挿通穴46、46ａに対応する基台設置面ＧＬにアンカーボルトを植設した後、基台設置面ＧＬ上より突出するボルト（図示せず）をアンカーボルト挿通穴46、46ａに挿通してナットで締結することにより、基台４を基台設置面ＧＬに固定する。
上記した基台４の固定方法の他には、モルタルにてフランジ45、45ａを基台設置面ＧＬ上に固着することも可能である。
【００１４】
以上の３種類の固定方法のいずれかにより、基台４を基台設置面ＧＬに固定した後で、図示しない上水管に止水栓２、逆止弁３及び水量計Ｍを配管するに際しては、先ず止水栓２及び逆止弁３の基台装着部10、34と共に円形鍔部26、36の下半円部分を座部40、40ａ上に夫々配置し、その上半円部分を固定部材41、41ａで夫々被冠して締結部材ＢＴを緩く締め付け、座部40、40ａと固定部材41、41ａ間に各基台装着部10、34を遊嵌した状態で仮止めする。
この仮止め状態では、座部40、40ａと固定部材41、41ａとの間に各円形鍔部26、36も遊嵌されているため、基台装着部10、34はその軸線を中心として回転自在であるが、その軸線方向への移動が各円形鍔部26、36によって規制され、止水栓２及び逆止弁３は基台４の左右に位置決めされている。
かかる状態において、止水栓２及び逆止弁３の夫々を適宜回転させることにより、止水栓２の入口５及び逆止弁３の出口32を上水管の各連結口に対応する様に指向させ、ユニオンナット（図示せず）にて仮止め連結する。
そして、止水栓２にあっては、操作杆23、24及びハンドル24ａを所望する方向に突出する様に基台装着部10に対し本体９を回転させ、その後、止水栓２及び逆止弁３と上水管とを仮止め連結しているユニオンナットと、締結部材ＢＴを完全に締め付ける。
尚、止水栓２及び逆止弁３をアングル状に屈曲していない直管形態のものを用いても、上水管に連結するためには、止水栓２の入口５及び逆止弁３の出口32の夫々にエルボ管を連結せねばならないので、結局、仮止め時には、止水栓２の入口５側及び逆止弁３の出口32側に連結されたエルボ管の連結口を上水管の連結口に対応すべく、仮止め状態の止水栓２及び逆止弁３を回転させることになる。
【００１５】
次に、基台４に固定された止水栓２及び逆止弁３間に水量計Ｍを介装連結する。
かかる連結に際しては、止水栓２及び逆止弁３間に水量計Ｍを配すると共に、伸縮管29を適宜長さに伸長させ、伸縮管29及び逆止弁３の入口31に設けた継手部材Ｕの夫々を水量計Ｍの出入口Ｍ１、Ｍ２に螺着することで成される。
伸縮管29の伸長において、その円形基端部28は多角形側面部30より大径に形成されているため、伸縮管29を最長に伸ばした状態では、円形基端部28が固定部材41の前端面43の内側（多角形口44周囲）に当接して抜止めされる。
継手部材Ｕの螺着に当たっては、止水栓２及び逆止弁３の基台装着部10、34は座部40、40ａと固定部材41、41ａによって挟持され回転不能で、伸縮管29もその多角形側面部30が固定部材41の前端面43の多角形口44に合致していることで回転不能なため、伸縮管29と逆止弁３の夫々が回転しない様にプライヤー等の工具で夫々を掴持することなく、各継手部材Ｕを単にレンチ等で締め付けることで成し得る。
【００１６】
【発明の効果】
要するに本発明は、水量計Ｍの出入口Ｍ１、Ｍ２の夫々を接続する止水栓２及び逆止弁３と、該止水栓２及び逆止弁３の夫々を水量計Ｍの出入口Ｍ１、Ｍ２を結ぶ軸線上で水量計Ｍの全長より長い間隔を以て離間配置する基台４とから成るユニット１を構成したので、単に止水栓２及び逆止弁３を基台４にセットするだけで、水量計Ｍの入口Ｍ１及び出口Ｍ２に止水栓２の出口６及び逆止弁３の入口31の夫々を簡単に位置決めでき、又止水栓２、逆止弁３及び水量計Ｍの組み付けがまとまり良く整わせられ、ユニット１全体をコンパクト化できる。
又、止水栓２の出口６側及び逆止弁３の入口31側の基台装着部10、34の夫々は、側面25、35が円形状に形成されると共に、円形鍔部26、36を突設して成り、基台４には、円形鍔部26、36と共に基台装着部10、34の下半円部分を嵌合する座部40、40ａと、円形鍔部26、36と共に基台装着部10、34の上半円部分を嵌合すると共に、締結部材ＢＴにて座部40、40ａに取付けられる固定部材41、41ａとを設けることにより、座部40、40ａと固定部材41、41ａの間に各基台装着部10、34をずれなく定位置に圧着保持でき、又締結部材ＢＴを緩めた仮止め状態では、各基台装着部10、34を回転させることができるため、止水栓２の入口５と逆止弁３の出口６の夫々を上水管の連結口に指向させることができる。
又、止水栓２の出口６又は逆止弁３の入口31のいずれか一方には、口内部27を水密状に摺動する円形基端部28を進退自在に挿入した伸縮管29を設けることにより、伸縮管29を収縮させることで何らの支障無く水量計Ｍを止水栓２と逆止弁３との間に配置できると共に、伸縮管29を伸長させて水量計Ｍの入口Ｍ１及び出口Ｍ２の夫々を止水栓２の出口６及び逆止弁３の入口31に連結するだけで、簡単に水量計Ｍを止水栓２と逆止弁３間に介装連結できる。
しかも、伸縮管29の円形基端部28より先端側には円形基端部28の外径より小さい多角形側面部30を連続形成し、座部40又は固定部材41の一方又は両方の前端面42、43には、多角形側面部30に合致する多角形口44を形成したことにより、伸縮管29を最長に伸ばした状態では、円形基端部28が固定部材41の前端面43の内側に当接することで抜止めできると共に、伸縮管29はその軸回りに回転しないため、伸縮管29と水量計Ｍとを連結する継ぎ手部材Ｕを締め付けたり、緩めたりする時に、伸縮管29を回転しない様にプライヤー等の工具を要せず、かかる工具を用いる手間を省くことができる。
伸縮管29の抜止め及び回り止めは、該伸縮管29を取付けた止水栓２の基台装着部10又は逆止弁３の基台装着部34を固定する座部40、40ａ及び固定部材41、41ａの前端面42、43に、多角形側面部30に合致する多角形口44を形成することで成し得るので、伸縮管29を取付けた基台装着部10又は基台装着部34の固定手段と伸縮管29の抜止め及び回り止め手段とを個々に設ける場合に比し、基台４の全長をより短縮化できるため、ユニット１をよりコンパクトに成すことができる。
以上の様に、本発明によれば、水量計Ｍの取付けやそれに伴う諸作業、並びに水量計Ｍの取り外し作業が簡単容易に行え、その作業能率を従来に比し飛躍的に向上させることできる。
【００１７】
止水栓２はその本体９と基台装着部10とを回転自在に連結したので、本体９より突出している操作杆23、24及びハンドル24ａの位置を適切な方向へ簡単に指向させることができる。
そして、一方の連結端部11は、開口端内周に円形面12を設けると共に、該円形面12に連続して奥方へ向かうに従い縮径して成るテーパー面13を設けて成り、円形面12周囲には拡縮径自在なＣ型弾性リング15を出没自在に配した凹溝16を刻設すると共に、該凹溝16の開口部端縁における前記連結端部11の開口端側の稜角部を斜めに切欠して斜面部17を設け、他方の連結端部18は、外周に一方の連結端部11における前記テーパー面13及び円形面12の夫々に面接触可能なテーパー面20及び円形面21を設けると共に、該円形面21には、一方の連結端部11における円形面12との面接触状態で該円形面12に設けた前記凹溝16に位置対応する凹溝22を周設し、該凹溝22は、Ｃ型弾性リング15に外力が作用していない状態で、一方の連結端部11における凹溝22より突出するリング15の内径側部位15ａを内接する深さに設定したので、本体９と基台装着部10とをワンタッチで連結でき、両者９、10を連結した後に分離しようとしても、Ｃ型弾性リング15の拡径する方向へ外力が働かないため、両者９、10の連結を解除できないし、本体９と基台装着部10との前記連結手段は止水栓２外部に露出した構成でないため、配管施工時などに誤ってリング15を外す様な危険もない。
しかも、上記連結手段によれば、本体９の連結端部11と基台装着部10の連結端部18が内外で重なりあって連結されているため、例えば本体９と基台装着部10とをユニオンナットやカップリング用バンドで連結する場合に比し、その全長を比較的短くでき、ユニット１全体をよりコンパクト化できる。
【００１８】
基台４には、基台設置面ＧＬに接地するフランジ45、45ａを設けると共に、該フランジ45、45ａには、基台設置面ＧＬ上より突設したアンカーボルト挿通穴46、46ａ、及び基台設置面ＧＬにビス止めするビス挿通穴47、47ａ…を設けたので、基台４の設置に際し、フランジ45、45ａをモルタルで基台設置面ＧＬに固着する手段、フランジ45、45ａをアンカーボルト又はビスにて基台設置面ＧＬに固定する手段のいずれかより選択できるため、基台４の設置がその設置場所の諸条件に応じて施工でき、その設置作業を良好と成すことができる等その実用的効果甚だ大である。
【図面の簡単な説明】
【図１】水量計取付けユニットの断面図である。
【図２】基台の平面図である。
【図３】図１のＡーＡ拡大断面図である。
【図４】図１のＢーＢ拡大断面図である。
【図５】止水栓の拡大断面図である。
【図６】止水栓の本体と基台装着部との連結状態を示す拡大断面図であり、(a) は本体と基台装着部との連結完了状態を示す図、(b) は連結完了後に本体と基台装着部との夫々を分離方向へ引張している状態を示す図である。
【符号の説明】
２          止水栓
３          逆止弁
４          基台
６          出口
９          本体
10          基台装着部
11          連結端部
12          円形面
13          テーパー面
15          Ｃ型弾性リング
15ａ        内径側部位
16          凹溝
17          斜面部
18          連結端部
20          テーパー面
21          円形面
22          凹溝
25          側面
26          円形鍔部
27          口内部
28          円形基端部
29          伸縮管
30          多角形側面部
31          入口
34          基台装着部
35          側面
36          円形鍔部
40、40ａ    座部
41、41ａ    固定部材
42          前端面
43          前端面
45、45ａ    フランジ
46、46ａ    アンカーボルト挿通穴
47、47ａ…  ビス挿通穴
ＢＴ        締結部材
ＧＬ        基台設置面
Ｍ          水量計
Ｍ１        入口
Ｍ２        出口
【図１】
0003845586.tif 000002
【図２】
0003845586.tif 000003
【図３】
0003845586.tif 000004
【図４】
0003845586.tif 000005
【図５】
0003845586.tif 000006
【図６】
0003845586.tif 000007